(57)【特許請求の範囲】
【請求項１】
サブフレーム長さより短い第１ＴＴＩ（Ｔｒａｎｓｍｉｓｓｉｏｎ  Ｔｉｍｅ  Ｉｎｔｅｒｖａｌ）長さを支援する、３ＧＰＰ（３ｒｄ  ｇｅｎｅｒａｔｉｏｎ  ｐａｒｔｎｅｒｓｈｉｐ  ｐｒｏｊｅｃｔ）ベースの無線通信システムにおいて、端末（ＵＥ）によりパワーヘッドルーム（Ｐｏｗｅｒ  Ｈｅａｄｒｏｏｍ：ＰＨ）を報告する方法であって、
前記第１ＴＴＩ長さが設定された第１セル、及び、前記第１ＴＴＩ長さと異なる第２ＴＴＩ長さが設定された第２セルを含む複数セルの各々に対するＰＨ値を得る段階と、並びに、
前記第１ＴＴＩ長さを有する第１ＰＵＳＣＨ(Ｐｈｙｓｉｃａｌ Ｕｐｌｉｎｋ Ｓｈａｒｅｄ Ｃｈａｎｎｅｌ)を介して、前記第２セルに対する特定のＰＨ値を含む前記複数セルに対する前記得られたＰＨ値を送信する段階と、を含んでなり、
前記第２ＴＴＩ長さを有する第２ＰＵＳＣＨが第２セルでスケジュールされた場合又はスケジュールされなかった場合に基づいて、前記特定のＰＨ値は、第１ＰＨ計算又は第２ＰＨ計算の何れかを実行することにより得られたものであり、
前記第１ＰＨ計算は、前記第２ＰＵＳＣＨに対するスケジューリング情報を通じて設定された、第１パラメータ（ＭPUSCH）及び第２パラメータ（△TF）を含んでなる電力制御パラメータに基づくものであり、及び、前記第２ＰＨ計算は、前記第１パラメータ（ＭPUSCH）及び前記第２パラメータ（△TF）以外の電力制御パラメータのうちの一部に基づくものであり、並びに、
第１パラメータ（ＭPUSCH）は、前記第２ＰＵＳＣＨに対してスケジュールされたバンド幅に関するものであり、及び、前記第２パラメータ（△TF）は、前記第２ＰＵＳＣＨに対してスケジュールされたＭＣＳ(ｍｏｄｕｌａｔｉｏｎ ａｎｄ ｃｏｄｉｎｇ ｓｃｈｅｍｅ)に関するものであることを特徴とする、方法。
【請求項２】
前記第２ＴＴＩ長さは、前記サブフレーム長さに対応するものである、請求項１に記載の方法。
【請求項３】
前記第２ＴＴＩ長さは、前記第１ＴＴＩ長さよりも小さいものである、請求項１に記載の方法。
【請求項４】
前記第２セルに対する前記特定のＰＨ値は、前記第２セルに対する最大送信電力と前記第２セルに対する予想された送信電力との間の差に関する情報であることを特徴とする、請求項１に記載の方法。
【請求項５】
前記特定のＰＨ値は、ＭＡＣ（ａ  ｍｅｄｉｕｍ  ａｃｃｅｓｓ  ｃｏｎｔｒｏｌ）シグナリング（信号）を介して送信されるものである、請求項１に記載の方法。
【請求項６】
経路減殺の値が臨界値より大きい場合、又はタイマーによる場合、に基づいて、前記特定のＰＨ値の送信はトリガーされてなることを特徴とする、請求項１に記載の方法。
【請求項７】
請求項１〜６の何れか一項に記載の方法を実行するためのプログラムコードを記録した、プロセッサ可読媒体。
【請求項８】
サブフレーム長さより短い第１ＴＴＩ(Ｔｒａｎｓｍｉｓｓｉｏｎ Ｔｉｍｅ Ｉｎｔｅｒｖａｌ)長さを支援する、３ＧＰＰ（３ｒｄ  ｇｅｎｅｒａｔｉｏｎ  ｐａｒｔｎｅｒｓｈｉｐ  ｐｒｏｊｅｃｔ）ベースの無線通信システムにおいて、パワーヘッドルーム(Ｐｏｗｅｒ Ｈｅａｄｒｏｏｍ：ＰＨ)を報告するための端末（ＵＥ）であって、
送信器;及び
前記送信器に操作可能に接続されたプロセッサ；を備えてなり、
前記プロセッサは、
前記第１ＴＴＩ長さが設定された第１セル、及び、前記第１ＴＴＩ長さと異なる第２ＴＴＩ長さが設定された第２セルを含む複数セルの各々に対するＰＨ値を得てなり、並びに、
前記第１ＴＴＩ長さを有する第１ＰＵＳＣＨ(Ｐｈｙｓｉｃａｌ Ｕｐｌｉｎｋ Ｓｈａｒｅｄ Ｃｈａｎｎｅｌ)を介して、前記第２セルに対する特定のＰＨ値を含む前記複数セルに対する前記得られたＰＨ値を送信する前記送信器を制御するものであり、
前記第２ＴＴＩ長さを有する第２ＰＵＳＣＨが第２セルでスケジュールされた場合又はスケジュールされなかった場合に基づいて、前記特定のＰＨ値は、第１ＰＨ計算又は第２ＰＨ計算の何れかを実行することにより得られたものであり、
前記第１ＰＨ計算は、前記第２ＰＵＳＣＨに対するスケジューリング情報を通じて設定された、第１パラメータ（ＭPUSCH）及び第２パラメータ（△TF）を含んでなる電力制御パラメータに基づくものであり、及び、前記第２ＰＨ計算は、前記第１パラメータ（ＭPUSCH）及び前記第２パラメータ（△TF）以外の電力制御パラメータのうちの一部に基づくものであり、並びに、
第１パラメータ（ＭPUSCH）は、前記第２ＰＵＳＣＨに対してスケジュールされたバンド幅に関するものであり、及び、前記第２パラメータ（△TF）は、前記第２ＰＵＳＣＨに対してスケジュールされたＭＣＳ(ｍｏｄｕｌａｔｉｏｎ ａｎｄ ｃｏｄｉｎｇ ｓｃｈｅｍｅ)に関するものであることを特徴とする、端末。
【請求項９】
サブフレーム長さより短い第１ＴＴＩ(Ｔｒａｎｓｍｉｓｓｉｏｎ Ｔｉｍｅ Ｉｎｔｅｒｖａｌ)長さを支援する、３ＧＰＰ（3rd generation partnership project）ベースの無線通信デバイスのためのプロセッサであって、
前記プロセッサは、前記無線通信デバイスを制御し、
前記第１ＴＴＩ長さと異なる第２ＴＴＩ長さが設定された第２セルを含む複数セルの各々に対するＰＨ値を得てなり、並びに、
前記第１ＴＴＩ長さが設定された第１セルを含む前記複数セルに対する前記得られたＰＨ値、及び、前記第１ＴＴＩ長さを有する第１ＰＵＳＣＨ(Ｐｈｙｓｉｃａｌ Ｕｐｌｉｎｋ Ｓｈａｒｅｄ Ｃｈａｎｎｅｌ)を介して、前記第２セルに対する特定のＰＨ値、を送信するものであり、
前記第２ＴＴＩ長さを有する第２ＰＵＳＣＨが第２セルでスケジュールされた場合又はスケジュールされなかった場合に基づいて、前記特定のＰＨ値は、第１ＰＨ計算又は第２ＰＨ計算の何れかを実行することにより得られたものであり、
前記第１ＰＨ計算は、前記第２ＰＵＳＣＨに対するスケジューリング情報を通じて設定された、第１パラメータ（ＭPUSCH）及び第２パラメータ（△TF）を含んでなる電力制御パラメータに基づくものであり、及び、前記第２ＰＨ計算は、前記第１パラメータ（ＭPUSCH）及び前記第２パラメータ（△TF）以外の電力制御パラメータのうちの一部に基づくものであり、並びに、
第１パラメータ（ＭPUSCH）は、前記第２ＰＵＳＣＨに対してスケジュールされたバンド幅に関するものであり、及び、前記第２パラメータ（△TF）は、前記第２ＰＵＳＣＨに対してスケジュールされたＭＣＳ(ｍｏｄｕｌａｔｉｏｎ ａｎｄ ｃｏｄｉｎｇ ｓｃｈｅｍｅ)に関するものであることを特徴とする、プロセッサ。
【請求項１０】
前記端末（ＵＥ）は、前記第２ＰＵＳＣＨが前記第２セルでスケジューリングされなかった場合、前記第２ＰＨ計算から前記特定のＰＨ値を得る、請求項１に記載の方法。
【請求項１１】
前記端末（ＵＥ）は、前記第２ＰＵＳＣＨが前記第２セルでスケジューリングされた場合、前記第１ＰＨ計算から前記特定のＰＨ値を得る、請求項１に記載の方法。
【請求項１２】
基地局（ＢＳ）による３ＧＰＰ（３ｒｄ  ｇｅｎｅｒａｔｉｏｎ  ｐａｒｔｎｅｒｓｈｉｐ  ｐｒｏｊｅｃｔ）ベースの無線通信を実行する方法であって、
サブフレーム長さより短い第１ＴＴＩ（Ｔｒａｎｓｍｉｓｓｉｏｎ  Ｔｉｍｅ  Ｉｎｔｅｒｖａｌ）長さが設定された第１セルを介して端末（ＵＥ）から、前記第１ＴＴＩ長さを有する第１ＰＵＳＣＨ(Ｐｈｙｓｉｃａｌ Ｕｐｌｉｎｋ Ｓｈａｒｅｄ Ｃｈａｎｎｅｌ)を受信する段階と、
前記第１ＰＵＳＣＨから、第１セル、及び、前記第１ＴＴＩ長さと異なる第２ＴＴＩ長さが設定された第２セルを含む複数セルに対するパワーヘッドルーム（Ｐｏｗｅｒ  Ｈｅａｄｒｏｏｍ：ＰＨ）値を含むＰＨ報告を得る段階と、を含んでなり、
前記第２ＴＴＩ長さを有する第２ＰＵＳＣＨが第２セルでスケジュールされた場合又はスケジュールされなかった場合に基づいて、前記特定のＰＨ値は、第１ＰＨ計算又は第２ＰＨ計算の何れかに関連するものであり、
前記第１ＰＨ計算は、前記第２ＰＵＳＣＨに対するスケジューリング情報を通じて設定された、第１パラメータ（ＭPUSCH）及び第２パラメータ（△TF）を含んでなる電力制御パラメータに基づくものであり、及び、前記第２ＰＨ計算は、前記第１パラメータ（ＭPUSCH）及び前記第２パラメータ（△TF）以外の電力制御パラメータのうちの一部に基づくものであり、並びに、
第１パラメータ（ＭPUSCH）は、前記第２ＰＵＳＣＨに対してスケジュールされたバンド幅に関するものであり、及び、前記第２パラメータ（△TF）は、前記第２ＰＵＳＣＨに対してスケジュールされたＭＣＳ(ｍｏｄｕｌａｔｉｏｎ ａｎｄ ｃｏｄｉｎｇ ｓｃｈｅｍｅ)に関するものであることを特徴とする、方法。
【請求項１３】
３ＧＰＰ（３ｒｄ  ｇｅｎｅｒａｔｉｏｎ  ｐａｒｔｎｅｒｓｈｉｐ  ｐｒｏｊｅｃｔ）ベースの無線通信を実行する基地局（ＢＳ）であって、
送信器;及び
前記送信器に操作可能に接続されたプロセッサ；を備えてなり、
前記プロセッサは、
サブフレーム長さより短い第１ＴＴＩ（Ｔｒａｎｓｍｉｓｓｉｏｎ  Ｔｉｍｅ  Ｉｎｔｅｒｖａｌ）長さが設定された第１セルを介して端末（ＵＥ）から、前記第１ＴＴＩ長さを有する第１ＰＵＳＣＨ(Ｐｈｙｓｉｃａｌ Ｕｐｌｉｎｋ Ｓｈａｒｅｄ Ｃｈａｎｎｅｌ)を受信し、並びに、
前記第１ＰＵＳＣＨから、第１セル、及び、前記第１ＴＴＩ長さと異なる第２ＴＴＩ長さが設定された第２セルを含む複数セルに対するパワーヘッドルーム（Ｐｏｗｅｒ  Ｈｅａｄｒｏｏｍ：ＰＨ）値を含むＰＨ報告を得てなり、
前記第２ＴＴＩ長さを有する第２ＰＵＳＣＨが第２セルでスケジュールされた場合又はスケジュールされなかった場合に基づいて、前記特定のＰＨ値は、第１ＰＨ計算又は第２ＰＨ計算の何れかに関連するものであり、
前記第１ＰＨ計算は、前記第２ＰＵＳＣＨに対するスケジューリング情報を通じて設定された、第１パラメータ（ＭPUSCH）及び第２パラメータ（△TF）を含んでなる電力制御パラメータに基づくものであり、及び、前記第２ＰＨ計算は、前記第１パラメータ（ＭPUSCH）及び前記第２パラメータ（△TF）以外の電力制御パラメータのうちの一部に基づくものであり、並びに、
第１パラメータ（ＭPUSCH）は、前記第２ＰＵＳＣＨに対してスケジュールされたバンド幅に関するものであり、及び、前記第２パラメータ（△TF）は、前記第２ＰＵＳＣＨに対してスケジュールされたＭＣＳ(ｍｏｄｕｌａｔｉｏｎ ａｎｄ ｃｏｄｉｎｇ ｓｃｈｅｍｅ)に関するものであることを特徴とする、基地局。
【発明の詳細な説明】
【技術分野】
【０００１】
本発明は無線通信システムに関し、より具体的には、複数の送信時間間隔、複数の副搬送波間隔又は複数のプロセシング時間などの支援に関連するパワーヘッドルーム報告のための方法及びそのための装置に関する。
【背景技術】
【０００２】
パケットデータの遅延(ｌａｔｅｎｃｙ)は重要な性能メートル(ｍｅｔｒｉｃ)の１つであり、これを減らして、より早いインターネットアクセスを最終ユーザ(ｅｎｄ ｕｓｅｒ)に提供することは、ＬＥＴのみならず、次世代移動通信システム、いわゆるｎｅｗ ＲＡＴの設計においても重要な課題の１つである。
【０００３】
本発明は、かかる遅延の減少を支援する無線通信システムにおける上りリンク信号受信又は送信方案に関する。
【発明の概要】
【発明が解決しようとする課題】
【０００４】
本発明は、複数の送信時間間隔、複数の副搬送波間隔又は複数のプロセシング時間を支援する端末のパワーヘッドルーム報告、又はそれと通信する基地局のパワーヘッドルーム報告の受信動作に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、短いＴＴＩ(Ｔｒａｎｓｍｉｓｓｉｏｎ Ｔｉｍｅ Ｉｎｔｅｒｖａｌ)長さを支援する端末のためのパワーヘッドルーム(Ｐｏｗｅｒ Ｈｅａｄｒｏｏｍ；ＰＨ)報告方法であって、この方法は端末により行われ、ＰＨ報告がトリガーされると、端末のために設定された短いＴＴＩ長さが設定された第１搬送波又はセルのためのＰＨ値、及び端末のために設定された短いＴＴＩ長さが設定されていない第２搬送波又はセルのためのＰＨ値を計算する段階、及び第１搬送波又はセル上の上りリンクチャネルを介して、前記計算されたＰＨ値を送信する段階を含み、第２搬送波又はセルのためのＰＨ値は、ＰＨ値が報告される時点を含むサブフレームで第２搬送波又はセルにおける上りリンクチャネル送信のスケジューリング有無によって異なるように計算されて報告される。
【０００７】
さらに又はその代わりに、第２搬送波又はセルで上りリンクチャネル送信がスケジューリングされた場合、第２搬送波又はセルのためのＰＨ値は第１ＰＨ値であり、また第２搬送波又はセルで上りリンクチャネル送信がスケジューリングされていない場合は、第２搬送波又はセルのためのＰＨ値は第２ＰＨ値である。
【０００８】
さらに又はその代わりに、第２搬送波又はセル上の上りリンクチャネル送信は、第１搬送波又はセル上の上りリンクチャネル送信と送信タイミングが重畳して省略(ｄｒｏｐ)又は中断されることができる。
【０００９】
さらに又はその代わりに、第１搬送波又はセルのためのＰＨ値又は第２搬送波又はセルのためのＰＨ値は、第１搬送波又はセル或いは第２搬送波又はセルで各々設定された基準ＴＴＩ内で送信が予定された互いに重畳する上りリンクチャネルのうちの１番目の上りリンクチャネルの送信パワーを考えて計算される。
【００１０】
さらに又はその代わりに、ＰＨ報告は特定の参照信号のパワーに基づいて計算された経路減殺の値が臨界値より大きい場合にトリガーされ、臨界値は短いＴＴＩの長さに基づいて決定される。
【００１１】
さらに又はその代わりに、第１搬送波又はセル上の上りリンクチャネルは端末のために設定された複数のサービング搬送波又はセルのうち、所定の優先順位規則に従って選択される。
【００１２】
さらに又はその代わりに、優先順位規則はＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(Ａｃｋｎｏｗｌｅｄｇｍｅｎｔ/Ｎｅｇａｔｉｖｅ−ａｃｋｎｏｗｌｅｄｇｍｅｎｔ)を含み、ＤＭＲＳ(ｄｅｍｏｄｕｌａｔｉｏｎ ｒｅｆｅｒｅｎｃｅ ｓｉｇｎａｌ)を含み、より低いセルインデックスを有し、より高い優先順位のセルグループに属し、及び／又はより短いＴＴＩ長さを有する搬送波又はセル上の上りリンクチャネルにはより高い優先順位を割り当てるように設定される。
【００１３】
本発明の他の実施例による無線通信システムにおいて、短いＴＴＩ(ｔｒａｎｓｍｉｓｓｉｏｎ ｔｉｍｅ ｉｎｔｅｒｖａｌ)長さを支援する端末のためのパワーヘッドルーム(ｐｏｗｅｒ ｈｅａｄｒｏｏｍ；ＰＨ)を報告する端末であって、端末は受信器及び送信器;及び受信器及び送信器を制御するプロセッサを含み、該プロセッサはＰＨ報告がトリガーされると、端末のために設定された短いＴＴＩ長さが設定された第１搬送波又はセルのためのＰＨ値、及び端末のために設定された短いＴＴＩ長さが設定されていない第２搬送波又はセルのためのＰＨ値を計算し、また第１搬送波又はセル上の上りリンクチャネルを介して、前記計算されたＰＨ値を送信し、第２搬送波又はセルのためのＰＨ値は、ＰＨ値が報告される時点を含むサブフレームで第２搬送波又はセルにおける上りリンクチャネル送信のスケジューリング有無によって異なるように計算されて報告される。
【００１４】
さらに又はその代わりに、第２搬送波又はセルで上りリンクチャネル送信がスケジューリングされた場合、第２搬送波又はセルのためのＰＨ値は第１ＰＨ値であり、また第２搬送波又はセルで上りリンクチャネル送信がスケジューリングされていない場合は、第２搬送波又はセルのためのＰＨ値は第２ＰＨ値である。
【００１５】
さらに又はその代わりに、第２搬送波又はセル上の上りリンクチャネル送信は、第１搬送波又はセル上の上りリンクチャネル送信と送信タイミングが重畳して省略(ｄｒｏｐ)又は中断されることができる。
【００１６】
さらに又はその代わりに、第１搬送波又はセルのためのＰＨ値又は第２搬送波又はセルのためのＰＨ値は、第１搬送波又はセル或いは第２搬送波又はセルで各々設定された基準ＴＴＩ内で送信が予定された互いに重畳する上りリンクチャネルのうちの１番目の上りリンクチャネルの送信パワーを考えて計算される。
【００１７】
さらに又はその代わりに、ＰＨ報告は特定の参照信号のパワーに基づいて計算された経路減殺の値が臨界値より大きい場合にトリガーされ、臨界値は短いＴＴＩの長さに基づいて決定される。
【００１８】
さらに又はその代わりに、第１搬送波又はセル上の上りリンクチャネルは端末のために設定された複数のサービング搬送波又はセルのうち、所定の優先順位規則に従って選択される。
【００１９】
さらに又はその代わりに、優先順位規則はＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(Ａｃｋｎｏｗｌｅｄｇｍｅｎｔ/Ｎｅｇａｔｉｖｅ−ａｃｋｎｏｗｌｅｄｇｍｅｎｔ)を含み、ＤＭＲＳ(ｄｅｍｏｄｕｌａｔｉｏｎ ｒｅｆｅｒｅｎｃｅ ｓｉｇｎａｌ)を含み、より低いセルインデックスを有し、より高い優先順位のセルグループに属し、及び／又はより短いＴＴＩ長さを有する搬送波又はセル上の上りリンクチャネルにはより高い優先順位を割り当てるように設定される。
【００２０】
本発明のさらに他の実施例による無線通信システムにおいて、短いＴＴＩ(ｔｒａｎｓｍｉｓｓｉｏｎ ｔｉｍｅ ｉｎｔｅｒｖａｌ)長さを支援する端末のためのパワーヘッドルーム(ｐｏｗｅｒ ｈｅａｄｒｏｏｍ；ＰＨ)報告を受信する方法であって、この方法は基地局により行われ、ＰＨ報告がトリガーされると、端末により計算された、端末のために設定された短いＴＴＩ長さが設定された第１搬送波又はセルのためのＰＨ値、及び端末のために設定された短いＴＴＩ長さが設定されていない第２搬送波又はセルのためのＰＨ値を第１搬送波又はセル上の上りリンクチャネルを介して受信する段階を含み、第２搬送波又はセルのためのＰＨ値は、ＰＨ値が報告される時点を含むサブフレームで第２搬送波又はセルにおける上りリンクチャネル送信のスケジューリング有無によって異なるように計算されて報告される。
【００２１】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００２２】
本発明の実施例によれば、複数のＴＴＩ長さ、複数の副搬送波間隔又は複数のプロセシング時間を支援する端末の上りリンク送信を効率的に行うことができる。
【００２３】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２４】
本明細書に添付する図面は本発明に対する理解を提供するためのものであり、本発明の多様な実施形態を示し、本発明の説明とともに本発明の技術的思想を説明するためのものである。
【図１】無線通信システムで使用される無線フレーム構造の一例を示す図である。
【図２】無線通信システムにおいて下りリンク／上りリンク(ＤＬ／ＵＬ)スロット構造の一例を示す図である。
【図３】３ＧＰＰ ＬＴＥ／ＬＴＥ−Ａシステムで使用される下りリンク(ｄｏｗｎｌｉｎｋ、ＤＬ)サブフレームの構造を例示する図である。
【図４】３ＧＰＰ ＬＴＥ／ＬＴＥ−Ａシステムで使用される上りリンク(ｕｐｌｉｎｋ、ＵＬ)サブフレームの構造を例示する図である。
【図５】ユーザ平面の遅延(ｌａｔｅｎｃｙ)減少によるＴＴＩ長さの減少を示す図である。
【図６】１つのサブフレーム内に複数の短いＴＴＩが設定された例を示す図である。
【図７】複数の長さ(シンボル数)を有する短いＴＴＩで構成されたＤＬサブフレーム構造を示す図である。
【図８】２つ又は３つのシンボルの短いＴＴＩで構成されたＤＬサブフレーム構造を示す図である。
【図９】本発明の実施例を具現するための装置を示すブロック図である。
【発明を実施するための形態】
【００２５】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２６】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２７】
本発明において、ユーザ機器(ｕｓｅｒ ｅｑｕｉｐｍｅｎｔ，ＵＥ)は、固定していても、移動性を有していてもよいもので、基地局(ｂａｓｅ ｓｔａｔｉｏｎ，ＢＳ)と通信してユーザデータ及び／又は各種制御情報を送受信する各種機器を含む。ＵＥを、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶこともできる。また、本発明において、ＢＳは一般に、ＵＥ及び／又は他のＢＳと通信する固定局(ｆｉｘｅｄ ｓｔａｔｉｏｎ)を意味し、ＵＥ及び他のＢＳと通信して各種データ及び制御情報を交換する。ＢＳを、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、ＰＳ(Ｐｒｏｃｅｓｓｉｎｇ Ｓｅｒｖｅｒ)、送信ポイント(ｔｒａｎｓｍｉｓｓｉｏｎ ｐｏｉｎｔ；ＴＰ)などと呼ぶこともできる。以下の本発明に関する説明では、ＢＳをｅＮＢと総称する。
【００２８】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ，ＲＲＨ)、無線リモートユニット(ｒａｄｉｏ ｒｅｍｏｔｅ ｕｎｉｔ，ＲＲＵ)であってもよい。ＲＲＨ、ＲＲＵなどは一般にｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ ａｎｔｅｎｎａ ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２９】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３０】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ Ｍｕｌｔｉ−Ｐｏｉｎｔ ＴＸ／ＲＸ)という。このようなノード間協調通信のうち、協調送信技法は、ＪＰ(ｊｏｉｎｔ ｐｒｏｃｅｓｓｉｎｇ)とスケジューリング協調(ｓｃｈｅｄｕｌｉｎｇ ｃｏｏｒｄｉｎａｔｉｏｎ)とに区別できる。前者はＪＴ(ｊｏｉｎｔ ｔｒａｎｓｍｉｓｓｉｏｎ)／ＪＲ(ｊｏｉｎｔ ｒｅｃｅｐｔｉｏｎ)とＤＰＳ(ｄｙｎａｍｉｃ ｐｏｉｎｔ ｓｅｌｅｃｔｉｏｎ)とに区別し、後者はＣＳ(ｃｏｏｒｄｉｎａｔｅｄ ｓｃｈｅｄｕｌｉｎｇ)とＣＢ(ｃｏｏｒｄｉｎａｔｅｄ ｂｅａｍｆｏｒｍｉｎｇ)とに区別できる。ＤＰＳは、ＤＣＳ(ｄｙｎａｍｉｃ ｃｅｌｌ ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００３１】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ ｃｏｎｆｉｇｕｒａｔｉｏｎ)、サブフレームオフセット(ｏｆｆｓｅｔ)及び送信周期(ｔｒａｎｓｍｉｓｓｉｏｎ ｐｅｒｉｏｄ)などによってＣＳＩ−ＲＳが割り当てられたサブフレームを特定するサブフレーム構成(ｓｕｂｆｒａｍｅ ｃｏｎｆｉｇｕｒａｔｉｏｎ)、ＣＳＩ−ＲＳシーケンスのうちの少なくとも１つが互いに異なることを意味する。
【００３２】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ ＣＨａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運ぶ時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３３】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ ｄｉｖｉｓｉｏｎ ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ ｄｉｖｉｓｉｏｎ ｄｕｐｌｅｘ，ＴＤＤ)用フレーム構造を示している。
【００３４】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ ｔｉｍｅ ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３５】
無線フレームは、デュプレックス(ｄｕｐｌｅｘ)技法によって別々に構成(ｃｏｎｆｉｇｕｒｅ)することができる。例えば、ＦＤＤモードにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤモードでは下りリンク送信及び上りリンク送信が時間によって区別されるため、特定周波数帯域に対して無線フレームは下りリンクサブフレームも上りリンクサブフレームも含む。
【００３６】
表１はＴＤＤモードで無線フレームにおけるサブフレームのＤＬ−ＵＬ構成(ｃｏｎｆｉｇｕｒａｔｉｏｎ)を例示する。
【００３７】
【表１】
0006980814.tif 000002
【００３８】
表１において、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ Ｐｉｌｏｔ ＴｉｍｅＳｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は特異サブフレーム構成(ｃｏｎｆｉｇｕｒａｔｉｏｎ)を例示する。
【００３９】
【表２】
0006980814.tif 000003
【００４０】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ ｇｒｉｄ)の構造を示す。アンテナポート当たりに１個のリソース格子がある。
【００４１】
図２を参照すると、スロットは、時間ドメインで複数のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルを含み、周波数ドメインで複数のリソースブロック(ｒｅｓｏｕｒｃｅ ｂｌｏｃｋ，ＲＢ)を含む。ＯＦＤＭシンボルは、１シンボル区間を意味することもある。図２を参照すると、各スロットで送信される信号は、ＮDL/ULRB  ＊  ＮRBSC個の副搬送波(ｓｕｂｃａｒｒｉｅｒ)とＮDL/ULsymb個のＯＦＤＭシンボルとで構成されるリソース格子(ｒｅｓｏｕｒｃｅ ｇｒｉｄ)と表現することができる。ここで、ＮDLRBは、下りリンクスロットにおけるリソースブロック(ｒｅｓｏｕｒｃｅ ｂｌｏｃｋ，ＲＢ)の個数を表し、ＮULRBは、ＵＬスロットにおけるＲＢの個数を表す。ＮDLRBとＮULRBは、ＤＬ送信帯域幅とＵＬ送信帯域幅にそれぞれ依存する。ＮDLsymbは、下りリンクスロットにおけるＯＦＤＭシンボルの個数を表し、ＮULsymbは、ＵＬスロットにおけるＯＦＤＭシンボルの個数を表す。ＮRBscは、１つのＲＢを構成する副搬送波の数を表す。
【００４２】
ＯＦＤＭシンボルは、多重接続方式によって、ＯＦＤＭシンボル、ＳＣ−ＦＤＭ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、ＮDL/ULRB  ＊  ＮRBSC個の副搬送波を含む。副搬送波の類型は、データ送信のためのデータ副搬送波、参照信号(ｒｅｆｅｒｅｎｃｅ ｓｉｇｎａｌ)の送信のための参照信号副搬送波、ガードバンド(ｇｕａｒｄ ｂａｎｄ)及び直流(Ｄｉｒｅｃｔ Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ ｆｒｅｑｕｅｎｃｙ，ｆ０)にマッピング(ｍａｐｐｉｎｇ)される。搬送波周波数は中心周波数(ｃｅｎｔｅｒ ｆｒｅｑｕｅｎｃｙ)と呼ばれることもある。
【００４３】
１ＲＢは、時間ドメインでＮDL/ULsymb個(例えば、７個)の連続するＯＦＤＭシンボルと定義され、周波数ドメインでＮRBSC個(例えば、１２個)の連続する副搬送波と定義される。参考として、１つのＯＦＤＭシンボルと１つの副搬送波で構成されたリソースをリソース要素(ｒｅｓｏｕｒｃｅ ｅｌｅｍｅｎｔ，ＲＥ)或いはトーン(ｔｏｎｅ)という。したがって、１つのＲＢは、ＮDL/ULsymb  ＊  ＮRBSC個のリソース要素で構成される。リソース格子における各リソース要素は、１つのスロットにおけるインデックス対(ｋ，１)によって固有に定義できる。ｋは、周波数ドメインで０からＮDL/ULRB  ＊  ＮRBSC−１まで与えられるインデックスであり、ｌは、時間ドメインで０からＮDL/ULsymb−１まで与えられるインデックスである。
【００４４】
１サブフレームにおいてＮRBSC個の連続した同一副搬送波を占有しながら、当該サブフレームにおける２個のスロットのそれぞれに１個ずつ位置する２個のＲＢを物理リソースブロック(ｐｈｙｓｉｃａｌ ｒｅｓｏｕｒｃｅ ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎPRB＝ｎVRBとなる。局部タイプのＶＲＢには０からＮDLVRB−１順に番号が与えられ、ＮDLVRB＝ＮDLRBである。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４５】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４６】
図３を参照すると、ＤＬサブフレームは、時間ドメインで制御領域(ｃｏｎｔｒｏｌ ｒｅｇｉｏｎ)とデータ領域(ｄａｔａ ｒｅｇｉｏｎ)とに区別される。図３を参照すると、サブフレームの第１のスロットで先頭部における最大３個(或いは４個)のＯＦＤＭシンボルは、制御チャンネルが割り当てられる制御領域(ｃｏｎｔｒｏｌ ｒｅｇｉｏｎ)に対応する。以下、ＤＬサブフレームでＰＤＣＣＨ送信に利用可能なリソース領域(ｒｅｓｏｕｒｃｅ ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４７】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ ｓｈａｒｅｄ ｃｈａｎｎｅｌ，ＤＬ−ＳＣＨ)の送信フォーマット及びリソース割り当て情報、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報、ページングチャンネル(ｐａｇｉｎｇ ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ ｌａｙｅｒ)制御メッセージのリソース割り当て情報、ＵＥグループ内の個別ＵＥへの送信電力制御命令(Ｔｒａｎｓｍｉｔ Ｃｏｎｔｒｏｌ Ｃｏｍｍａｎｄ Ｓｅｔ)、送信電力制御(Ｔｒａｎｓｍｉｔ Ｐｏｗｅｒ Ｃｏｎｔｒｏｌ)命令、ＶｏＩＰ(Ｖｏｉｃｅ ｏｖｅｒ ＩＰ)の活性化(ａｃｔｉｖａｔｉｏｎ)指示情報、ＤＡＩ(Ｄｏｗｎｌｉｎｋ Ａｓｓｉｇｎｍｅｎｔ Ｉｎｄｅｘ)などを含む。ＤＬ共有チャンネル(ｄｏｗｎｌｉｎｋ ｓｈａｒｅｄ ｃｈａｎｎｅｌ，ＤＬ−ＳＣＨ)の送信フォーマット(Ｔｒａｎｓｍｉｔ Ｆｏｒｍａｔ)及びリソース割り当て情報は、ＤＬスケジューリング情報或いはＤＬグラント(ＤＬ ｇｒａｎｔ)とも呼ばれ、ＵＬ共有チャンネル(ｕｐｌｉｎｋ ｓｈａｒｅｄ ｃｈａｎｎｅｌ，ＵＬ−ＳＣＨ)の送信フォーマット及びリソース割り当て情報は、ＵＬスケジューリング情報或いはＵＬグラント(ＵＬ ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ ａｌｌｏｃａｔｉｏｎ)、ＭＣＳ(ｍｏｄｕｌａｔｉｏｎ ｃｏｄｉｎｇ ｓｃｈｅｍｅ)、ＲＶ(ｒｅｄｕｎｄａｎｃｙ ｖｅｒｓｉｏｎ)、ＮＤＩ(ｎｅｗ ｄａｔａ ｉｎｄｉｃａｔｏｒ)、ＴＰＣ(ｔｒａｎｓｍｉｔ ｐｏｗｅｒ ｃｏｎｔｒｏｌ)、循環シフトＤＭＲＳ(ｃｙｃｌｉｃ ｓｈｉｆｔ ｄｅｍｏｄｕｌａｔｉｏｎ ｒｅｆｅｒｅｎｃｅ ｓｉｇｎａｌ)、ＵＬインデックス、ＣＱＩ(ｃｈａｎｎｅｌ ｑｕａｌｉｔｙ ｉｎｆｏｒｍａｔｉｏｎ)要請、ＤＬ割り当てインデックス(ＤＬ ａｓｓｉｇｎｍｅｎｔ ｉｎｄｅｘ)、ＨＡＲＱプロセスナンバー、ＴＰＭＩ(ｔｒａｎｓｍｉｔｔｅｄ ｐｒｅｃｏｄｉｎｇ ｍａｔｒｉｘ ｉｎｄｉｃａｔｏｒ)、ＰＭＩ(ｐｒｅｃｏｄｉｎｇ ｍａｔｒｉｘ ｉｎｄｉｃａｔｏｒ)情報などの制御情報が適宜選択された組み合わせが下りリンク制御情報としてＵＥに送信される。
【００４８】
一般に、ＵＥに構成された送信モード(ｔｒａｎｓｍｉｓｓｉｏｎ ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４９】
ＰＤＣＣＨは、１つ又は複数の連続した制御チャンネル要素(ｃｏｎｔｒｏｌ ｃｈａｎｎｅｌ ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ ｒａｔｅ)を提供するために用いられる論理的割り当てユニット(ｕｎｉｔ)である。ＣＣＥは、複数のリソース要素グループ(ｒｅｓｏｕｒｃｅ ｅｌｅｍｅｎｔ ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ ｌｅｖｅｌ)を例示するものである。
【００５０】
【表３】
0006980814.tif 000004
【００５１】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ ｄｅｔｅｃｔｉｏｎ)(ブラインド復号(ｂｌｉｎｄ ｄｅｃｏｄｉｎｇ，ＢＤ))という。
【００５２】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ Ｄｏｗｎｌｉｎｋ Ｓｈａｒｅｄ ＣＨａｎｎｅｌ)を割り当てることができる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣ(ｃｙｃｌｉｃ ｒｅｄｕｎｄａｎｃｙ ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号(ｒｅｆｅｒｅｎｃｅ ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５４】
図４は、３ＧＰＰ ＬＥＴ／ＬＥＴ−Ａシステムで使用される上りリンク(ｕｐｌｉｎｋ，ＵＬ)サブフレーム構造の一例を示す図である。
【００５５】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶために、ＵＬサブフレームのデータ領域に割り当てられてもよい。
【００５６】
ＵＬサブフレームではＤＣ(Ｄｉｒｅｃｔ Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。但し、周波数ホッピングが適用されない場合には、ＲＢ対が同一の副搬送波を占有する。
【００５７】
ＰＵＣＣＨは、次の制御情報を送信するために使用される。
【００５８】
−ＳＲ(Ｓｃｈｅｄｕｌｉｎｇ Ｒｅｑｕｅｓｔ)：上りリンクＵＬ−ＳＣＨリソースを要請するために使用される情報である。ＯＯＫ(Ｏｎ−Ｏｆｆ Ｋｅｙｉｎｇ)方式を用いて送信される。
【００５９】
−ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６０】
−ＣＳＩ(Ｃｈａｎｎｅｌ Ｓｔａｔｅ Ｉｎｆｏｒｍａｔｉｏｎ)：下りリンクチャンネルに対するフィードバック情報(ｆｅｅｄｂａｃｋ ｉｎｆｏｒｍａｔｉｏｎ)である。ＭＩＭＯ(Ｍｕｌｔｉｐｌｅ Ｉｎｐｕｔ Ｍｕｌｔｉｐｌｅ Ｏｕｔｐｕｔ)−関連フィードバック情報は、ＲＩ(Ｒａｎｋ Ｉｎｄｉｃａｔｏｒ)及びＰＭＩ(Ｐｒｅｃｏｄｉｎｇ Ｍａｔｒｉｘ Ｉｎｄｉｃａｔｏｒ)を含む。
【００６１】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ Ｒｅｆｅｒｅｎｃｅ Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６２】
表４はＬＥＴ／ＬＥＴ−ＡシステムにおいてＰＵＣＣＨフォーマットとＵＣＩとのマッピング関係を示す。
【００６３】
【表４】
0006980814.tif 000005
【００６４】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ ｓｔａｔｅ ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６５】
参照信号(Ｒｅｆｅｒｅｎｃｅ Ｓｉｇｎａｌ；ＲＳ)
【００６６】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ Ｓｉｇｎａｌ)又は参照信号(Ｒｅｆｅｒｅｎｃｅ Ｓｉｇｎａｌ)という。
【００６７】
多重アンテナを用いてデータを送受信する場合、各送信アンテナと受信アンテナの間のチャネル状況を知らないと、正しい信号を受信することができない。従って、各送信アンテナごとに、より詳しくはアンテナポート(ａｎｔｅｎｎａ ｐｏｒｔ)ごとに異なった参照信号が存在しなければならない。
【００６８】
参照信号は上りリンク参照信号と下りリンク参照信号とに区別できる。現在、いくつのシステム、例えば、ＬＥＴベースのシステムにおいて、上りリンク参照信号として、
【００６９】
i)ＰＵＳＣＨ及びＰＵＣＣＨを介して送信された情報のコヒーレント(ｃｏｈｅｒｅ
ｎｔ)な復調のためのチャネル推定のための復調参照信号(ＤｅＭｏｄｕｌａｔｉｏｎ−Ｒｅｆｅｒｅｎｃｅ Ｓｉｇｎａｌ，ＤＭ−ＲＳ)及び
【００７０】
ii)ｅＮＢが、ネットワークの異なる周波数における上りリンクチャネル品質を測定するためのサウンディング参照信号(Ｓｏｕｎｄｉｎｇ Ｒｅｆｅｒｅｎｃｅ Ｓｉｇｎａｌ，ＳＲＳ)を含む。
【００７１】
一方、下りリンク参照信号としては、例えば、
【００７２】
i) セル内の全ての端末が共有するセル−特定の参照信号(Ｃｅｌｌ−ｓｐｅｃｉｆｉｃ Ｒｅｆｅｒｅｎｃｅ Ｓｉｇｎａｌ，ＣＲＳ);
【００７３】
ii) 特定のＵＥのみのための端末−特定の参照信号(ＵＥ−ｓｐｅｃｉｆｉｃ Ｒｅｆｅｒｅｎｃｅ Ｓｉｇｎａｌ);
【００７４】
iii) ＰＤＳＣＨが送信される場合に、コヒーレントな復調のために送信される(ＤｅＭｏｄｕｌａｔｉｏｎ−Ｒｅｆｅｒｅｎｃｅ Ｓｉｇｎａｌ，ＤＭ−ＲＳ);
【００７５】
iv) 下りリンクＤＭＲＳが送信される場合に、チャネル状態情報(Ｃｈａｎｎｅｌ Ｓｔａｔｅ Ｉｎｆｏｒｍａｔｉｏｎ；ＣＳＩ)を伝達するためのチャネル状態情報の参照信号(Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ);
【００７６】
v) ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ);及び
【００７７】
vi) 端末の地理的位置情報を推定するために用いられる位置参照信号(Ｐｏｓｉｔｉｏｎｉｎｇ Ｒｅｆｅｒｅｎｃｅ Ｓｉｇｎａｌ)がある。
【００７８】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００７９】
パワーヘッドルーム(Ｐｏｗｅｒ Ｈｅａｄｒｏｏｍ； ＰＨ)又はＰＨＲ(ＰＨ ｒｅｐｏｒｔ)
【００８０】
パワーヘッドルーム(Ｐｏｗｅｒ Ｈｅａｄｒｏｏｍ；ＰＨ)について説明する。
【００８１】
ＰＨは、現在端末が上りリンク送信に使用する電力以外に、さらに使用可能な余分の電力を意味する。例えば、端末の許容可能な範囲の上りリンク送信電力である最大送信電力が１０Ｗであると仮定し、現在端末が１０ＭＨｚの周波数帯域で９Ｗの電力を使用していると仮定する。この時、端末はさらに１Ｗを使用できるので、ＰＨは１Ｗである。
【００８２】
ここで、基地局が端末に２０ＭＨｚの周波数帯域を割り当てると、１８Ｗ(＝９Ｗ×２)の電力が必要である。しかし、端末の最大電力が１０Ｗであるので、端末に２０ＭＨｚを割り当てると、端末は周波数帯域を全部使用できないか、又は電力が不足して基地局が端末の信号を正確に受信することができない。この問題を解決するために、端末はＰＨが１Ｗであることを基地局に報告して、基地局がＰＨの範囲内でスケジューリングするようにする。かかる報告をＰＨＲ(Ｐｏｗｅｒ Ｈｅａｄｒｏｏｍ Ｒｅｐｏｒｔ)という。
【００８３】
ＰＨＲ手順により、１)各活性化されたサービングセルごとに予定された(ｎｏｍｉｎａｌ)端末の最大送信電力と予測された(ｅｓｔｉｍａｔｅｄ)ＵＬ−ＳＣＨ(ＰＵＳＣＨ)送信電力の間の差に関する情報、２)主サービングセルで予定された端末の最大送信電力と予測されたＰＵＣＣＨ送信電力の間の差に関する情報、又は３)主サービングセルで予定された最大送信電力と予測されたＵＬ−ＳＣＨ及びＰＵＣＣＨ送信電力の間の差に関する情報が、サービング基地局に送信される。
【００８４】
端末のＰＨＲは２つのタイプ(タイプ１、タイプ２)に定義される。任意の端末のＰＨはサービングセルｃに対するサブスロット／スロット／サブフレームｉについて定義できる。
【００８５】
１.ＰＨのタイプ１(タイプ１ ＰＨ)
【００８６】
タイプ１のＰＨには、端末が１)ＰＵＣＣＨ無しにＰＵＳＣＨのみを送信する場合、２)ＰＵＣＣＨ及びＰＵＳＣＨを同時に送信する場合、及び３)ＰＵＳＣＨを送信しない場合がある。
【００８７】
第一に、もし端末がサービングセルｃに対するサブスロット／スロット／サブフレームｉについてＰＵＣＣＨ無しにＰＵＳＣＨを送信する場合、タイプ１の報告に対するＰＨは以下の通りである。
【００８８】
【数１】
0006980814.tif 000006
【００８９】
ここで、ＰCMAX,C(ｉ)は、基地局がＲＲＣシグナリングにより端末に送信する値であるＰ−ｍａｘを基準として設定されるＰEMAX,c値と、各端末のハードウェアの水準により決定する送出電力クラス(ｐｏｗｅｒ ｃｌａｓｓ)により決定されるＰPowerClass値のうちの小さい値を基準として設定された最大送信電力値を基準としてネットワークで設定したオフセット値を適用して算出した最大端末送出電力値である。ここで、オフセット値は、最大電力減少値(ＭＰＲ:ｍａｘｉｍｕｍ ｐｏｗｅｒ ｒｅｄｕｃｔｉｏｎ)、追加最大電力減少値(Ａ−ＭＰＲ:ａｄｄｉｔｉｏｎａｌ ｍａｘｉｍｕｍ ｐｏｗｅｒ ｒｅｄｕｃｔｉｏｎ)、電力管理最大電力減少値(Ｐ−ＭＰＲ:Ｐｏｗｅｒ Ｍａｎａｇｅｍｅｎｔ Ｍａｘｉｍｕｍ Ｐｏｗｅｒ Ｒｅｄｕｃｔｉｏｎ)であることができ、さらに端末の送信部内のフィルター特性を大きく受ける帯域であるか否かによって適用されるオフセット値(ＤＴＣ)が適用される。
【００９０】
ＰCMAX,C(ｉ)はＰCMAX(ｉ)とは異なり、サービングセルｃに限定して構成された値である。従って、Ｐ−ｍａｘ値もサービングセルｃに対して構成された値(ＰEMAX,c)であり、オフセット値も各々サービングセルｃに限定して構成された値で計算される。即ち、ＭＰＲｃ、Ａ−ＭＰＲｃ、Ｐ−ＭＰＲｃ、ＤＴＣ、ｃで構成される。しかし、ＰＰｏｗｅｒＣｌａｓｓ値は端末単位で計算時に使用した値と同じ値を用いて計算する。
【００９１】
ＭPUSCH,c(ｉ)はサービングセルｃに対するサブスロット／スロット／サブフレームｉにおいてＰＵＳＣＨが割り当てられたリソースの帯域幅をＲＢ数で表現した値である。
【００９２】
【表５】
0006980814.tif 000007
【００９３】
もしｊが０又は１であると、上位階層から提供される３ビットのパラメータによりαc∈[０,０.４,０.５,０.６,０.７,０.８,０.９,１]の値のうちの１つが選択される。ｊが２である場合には常にαc(j)＝１である。
【００９４】
ＰＬcは端末で計算されたサービングセルｃに対する下りリンク経路損失(ｐａｔｈ ｌｏｓｓ:ＰＬ又は経路減殺)予想値のｄＢ値であり、"ｒｅｆｅｒｅｎｃｅＳｉｇｎａｌＰｏｗｅｒ−ｈｉｇｈｅｒ ｌａｙｅｒ ｆｉｌｔｅｒｅｄ ＲＳＲＰ"から求めることができる。ここで、ｒｅｆｅｒｅｎｃｅＳｉｇｎａｌＰｏｗｅｒは上位階層で提供される値であり、下りリンク参照信号のＥＰＲＥ(Ｅｎｅｒｇｙ Ｐｅｒ Ｒｅｓｏｕｒｃｅ Ｅｌｅｍｅｎｔ)値のｄＢｍ単位である。ＲＳＲＰ(Ｒｅｆｅｒｅｎｃｅ Ｓｉｇｎａｌ Ｒｅｃｅｉｖｅｄ Ｐｏｗｅｒ)は参照サービングセルに対する参照信号の受信電力値である。参照サービングセルとして選択されたサービングセル、またＰＬc計算のために使用されるｒｅｆｅｒｅｎｃｅＳｉｇｎａｌＰｏｗｅｒとｈｉｇｈｅｒ ｌａｙｅｒ ｆｉｌｔｅｒｅｄ ＲＳＲＰの決定は、上位階層パラメータであるｐａｔｈｌｏｓｓＲｅｆｅｒｅｎｃｅＬｉｎｋｉｎｇにより構成される。ここで、ｐａｔｈｌｏｓｓＲｅｆｅｒｅｎｃｅＬｉｎｋｉｎｇにより構成される参照サービングセルは、主サービングセル又はＵＬ ＣＣとＳＩＢ２連結設定されている(ｃｏｒｒｅｓｐｏｎｄｉｎｇ)副サービングセルのＤＬ ＳＣＣであることができる。
【００９５】
また、ΔTF,C(ｉ)はＭＣＳ(ｍｏｄｕｌａｔｉｏｎ ｃｏｄｉｎｇ ｓｃｈｅｍｅ)による影響を反映するためのパラメータであり、下記数式である。
【００９６】
【数２】
0006980814.tif 000008
【００９７】
また、δPUSCH,cは修訂値(ｃｏｒｒｅｃｔｉｏｎ ｖａｌｕｅ)であって、サービングセルｃに対するＤＣＩフォーマット０又はＤＣＩフォーマット４内に存在するＴＰＣ命令(ＴＰＣ ｃｏｍｍａｎｄ)又は他の端末と共に符号化されて送信されるＤＣＩフォーマット３／３Ａ内のＴＰＣ命令を参照して決定される。ＤＣＩフォーマット３／３ＡはＣＲＣパリティービットがＴＰＣ−ＰＵＳＣＨ−ＲＮＴＩにスクランブルされており、ＲＮＴＩ値が割り当てられた端末のみが確認することができる。ここで、ＲＮＴＩ値は任意の端末が多数のサービングセルで構成された場合、各サービングセルを区分するために、サービングセルごとに互いに異なるＲＮＴＩ値が割り当てられる。この時、現在のサービングセルｃに対するＰＵＳＣＨ電力制御の調整状態はｆc(ｉ)と与えられ、サービングセルｃについて上位階層により累積(ａｃｃｕｍｕｌａｔｉｏｎ)が活性化された場合又はＴＰＣ命令δPUSCH,cが臨時(Ｔｅｍｐｏｒａｒｙ)−Ｃ−ＲＮＴＩによりスクランブルされたＤＣＩフォーマット０がＰＤＣＣＨに含まれている場合、下記数式である。
【００９８】
【数３】
0006980814.tif 000009
【００９９】
ここで、δPUSCH,c(i-KPUSCH)は(ｉ−ｋPUSCH)番目のサブフレームで送信されたＰＤＣＣＨ内のＤＣＩフォーマット０／４又は３／３Ａ内におけるＴＰＣ命令であり、ｆｃ(０)は累積リセット後の最初値である。またＫPUSCH値はＦＤＤである場合には４である。ＴＤＤ ＵＬ／ＤＬ設定０である場合、サブフレーム２又は７でＰＵＳＣＨ送信をスケジューリングするＰＤＣＣＨが存在すると、ＰＤＣＣＨ内のＤＣＩフォーマット０／４内にＵＬインデックスのＬＳＢ(Ｌｅａｓｔ ｓｉｇｎｉｆｉｃａｎｔ ｂｉｔ)値が１に設定されている場合にＫＰＵＳＣＨは７である。
【０１００】
第二に、もし端末がサービングセルｃに対するサブスロット／スロット／サブフレームｉについてＰＵＣＣＨとＰＵＳＣＨを同時に送信する場合は、タイプ１のＰＨは以下の通りである。
【０１０１】
【数４】
0006980814.tif 000010
【０１０２】
第三に、もし端末がサービングセルｃに対するサブスロット／スロット／サブフレームｉについてＰＵＳＣＨを送信しない場合は、タイプ１のＰＨは以下の通りである。
【０１０３】
【数５】
0006980814.tif 000011
【０１０４】
２．ＰＨのタイプ２(タイプ２ＰＨ)
【０１０５】
タイプ２のＰＨには、端末が主サービングセルに対するサブスロット／スロット／サブフレームｉについてＰＵＣＣＨ及びＰＵＳＣＨを同時に送信する場合、ＰＵＣＣＨ無しにＰＵＳＣＨを送信する場合、ＰＵＳＣＨ無しにＰＵＣＣＨを送信する場合、及びＰＵＣＣＨ又はＰＵＳＣＨを送信しない場合がある。
【０１０６】
第一に、もし端末が主サービングセルに対するサブスロット／スロット／サブフレームｉについてＰＵＣＣＨとＰＵＳＣＨを同時に送信する場合は、タイプ２のＰＨは以下のように計算される。
【０１０７】
【数６】
0006980814.tif 000012
【０１０８】
ここで、ΔF_PUCCH(F)は上位階層(ＲＲＣ)で定義され、各ΔF_PUCCH(Ｆ)値はＰＵＣＣＨフォーマット１ａに関連するＰＵＣＣＨフォーマット(Ｆ)と一致する。ここで、各ＰＵＣＣＨフォーマット(Ｆ)は表４の通りである。
【０１０９】
もし、端末が上位階層によりＰＵＣＣＨ送信を２つのアンテナポートに対して構成した場合、各ＰＵＣＣＨフォーマットＦ'に対するΔTxD(Ｆ')値は上位階層から提供される。そうではない場合は、いつもΔTxD(Ｆ')＝０である。
【０１１０】
【表６】
0006980814.tif 000013
【０１１１】
第二に、もし端末が主サービングセルに対するサブスロット／スロット／サブフレームｉについてＰＵＣＣＨ無しにＰＵＳＣＨを送信する場合は、タイプ２のＰＨは以下のように計算される。
【０１１２】
【数７】
0006980814.tif 000014
【０１１３】
第三に、もし端末が主サービングセルに対するサブスロット／スロット／サブフレームｉについてＰＵＳＣＨ無しにＰＵＣＣＨを送信する場合は、タイプ２のＰＨは以下のように計算される。
【０１１４】
【数８】
0006980814.tif 000015
【０１１５】
第四に、もし端末が主サービングセルに対するサブスロット／スロット／サブフレームｉについてＰＵＣＣＨ又はＰＵＳＣＨを送信しない場合は、タイプ２のＰＨは以下のように計算される。
【０１１６】
【数９】
0006980814.tif 000016
【０１１７】
ＰＨ値は１ｄＢ単位で決定され、丸めにより４０ｄＢ乃至−２３ｄＢの範囲の値のうち、最も近い値に決定される。このように決定されたＰＨ値は物理階層から上位階層に伝達される。
【０１１８】
一方、報告されたＰＨは１つのサブスロット／スロット／サブフレームで予測された(ｅｓｔｉｍａｔｅｄ)値である。
【０１１９】
もし、拡張されたＰＨＲ(Ｅｘｔｅｎｄｅｄ ＰＨＲ、以下、拡張されたＰＨＲという)が構成されていない場合には、主サービングセルに対するタイプ１のＰＨ値のみが報告される。反面、拡張されたＰＨＲが構成されている場合は、上りリンクが構成された活性化されたサービングセルの各々についてタイプ１のＰＨ値及びタイプ２のＰＨ値が報告される。
【０１２０】
一方、ＰＨＲの制御は、周期的ＰＨＲタイマー(ｐｅｒｉｏｄｉｃＰＨＲ−Ｔｉｍｅｒ、以下、"周期的タイマー"という)と遮断タイマー(ｐｒｏｈｉｂｉｔＰＨＲ−Ｔｉｍｅｒ)により行うことができる。ＲＲＣメッセージにより"ｄｌ−ＰａｔｈｌｏｓｓＣｈａｎｇｅ"値を送信することにより、端末が下りリンクで測定した経路損失値の変化及び電力管理による電力撤回の要求値(Ｐ−ＭＰＲ)の変化によるＰＨＲのトリガーを制御する。
【０１２１】
ＰＨＲは以下のイベントのうちのいずれかが発生する場合にトリガーされる。
【０１２２】
１．端末が新しい送信のために上りリンクリソースを確保して最後のＰＨＲ送信を進行した後に経路損失参照として使用される少なくとも１つの活性化されたサービングセルで経路損失値(例えば、端末が測定した経路損失の推定値)がより大きく変更されて遮断タイマーが満了するか、遮断タイマーが満了し、経路損失参照として使用される少なくとも１つの活性化されたサービングセルで経路損失値(ｄＢ)がより大きく変更された場合、ＰＨＲがトリガーされる。経路損失の推定値はＲＳＲＰに基づいて端末により測定される。
【０１２３】
:ｐｒｏｈｉｂｉｔＰＨＲ−Ｔｉｍｅｒ ｅｘｐｉｒｅｓ ｏｒ ＨＡＲＱ−ＡＣＫａｓ ｅｘｐｉｒｅｄ ａｎｄ ｔｈｅ ｐａｔｈ ｌｏｓｓ ｈａｓ ｃｈａｎｇｅｄ ｍｏｒｅ ｔｈａｎ ＤＬ−ＰａｔｈｌｏｓｓＣｈａｎｇｅ ｄＢ ｆｏｒ ａｔ ｌｅａｓｔ ｏｎｅ ａｃｔｉｖａｔｅｄ Ｓｅｒｖｉｎｇ ｃｅｌｌ ｗｈｉｃｈ ｉｓ ｕｓｅｄ ａｓ ａ ｐａｔｈｌｏｓｓ ｒｅｆｅｒｅｎｃｅ ｓｉｎｃｅ ｔｈｅ ｌａｓｔ ｔｒａｎｓｍｉｓｓｉｏｎ ｏｆ ａ ＰＨＲ ｗｈｅｎ ｔｈｅ ＵＥ ｈａｓ ＵＬ ｒｅｓｏｕｒｃｅｓ ｆｏｒ ｎｅｗ ｔｒａｎｓｍｉｓｓｉｏｎ；
【０１２４】
２．周期的タイマーが満了した場合、ＰＨＲがトリガーされる。ＰＨは随時変化するので、周期的ＰＨＲ方式によって端末は周期的タイマーが満了すると、ＰＨＲをトリガーし、ＰＨが報告されると、周期的タイマーを再駆動する。
【０１２５】
:ｐｅｒｉｏｄｉｃＰＨＲ−Ｔｉｍｅｒ ｅｘｐｉｒｅｓ;
【０１２６】
３．使用禁止を除いたＰＨＲ動作に関連する構成又は再構成がＲＲＣ又はＭＡＣのような上位階層により行われる場合、ＰＨＲがトリガーされる。
【０１２７】
: ｕｐｏｎ ｃｏｎｆｉｇｕｒａｔｉｏｎ ｏｒ ｒｅｃｏｎｆｉｇｕｒａｔｉｏｎ ｏｆ ｔｈｅ ｐｏｗｅｒ ｈｅａｄｒｏｏｍ ｒｅｐｏｒｔｉｎｇ ｆｕｎｃｔｉｏｎａｌｉｔｙ ｂｙ Ｕｐｐｅｒ ｌａｙｅｒｓ、Ｗｈｉｃｈ ｉｓ ｎｏｔ ｕｓｅｄ ｔｏ ｄｉｓａｂｌｅ ｔｈｅ ｆｕｎｃｔｉｏｎ;
【０１２８】
４．上りリンクが構成されたＳＣｅｌｌが活性化される場合、ＰＨＲがトリガーされる。
【０１２９】
:ａｃｔｉｖａｔｉｏｎ ｏｆ ａｎ ＳＣｅｌｌ ｗｉｔｈ ｃｏｎｆｉｇｕｒｅｄ ｕｐｌｉｎｋ;
【０１３０】
５．端末が新しい送信のために上りリンクリソースを確保している場合、上りリンクが構成された活性化されたサービングセルのうちのいずれか１つでも該当ＴＴＩで上りリンクリソースによる上りリンクデータ送信又はＰＵＣＣＨ送信時の最後のＰＨＲ送信を進行した後に上りリンク送信のためのリソースが割り当てられているか、又はＰＵＣＣＨ送信が該当セルに存在する場合、また最後のＰＨＲ送信後に電力撤回要求値(Ｐ−ＭＰＲＣ)の変化が"ＤＬ−ＰａｔｈｌｏｓｓＣｈａｎｇｅ"[ｄＢ]値より大きい場合に、ＰＨＲがトリガーされる。
【０１３１】
:ｐｒｏｈｉｂｉｔＰＨＲ−Ｔｉｍｅｒ ｅｘｐｉｒｅｓ ｏｒ ｈａｓ ｅｘｐｉｒｅｄ、ｗｈｅｎ ｔｈｅ ＵＥ ｈａｓ ＵＬ ｒｅｓｏｕｒｃｅＳ ｆｏｒ ｎｅｗ ｔｒａｎｓｍｉｓｓｉｏｎ、ａｎｄ ｔｈｅ ｆｏｌｌｏｗｉｎｇ ｉｓ ｔｒｕｅ ｉｎ ｔｈｉｓ ＴＴＩ ｆｏｒ ａｎｙ ｏｆ ｔｈｅ ａｃｔｉｖｅｄ Ｓｅｒｖｉｎｇ ＣｅｌｌＳ ｗｉｔｈ ｃｏｎｆｉｇｕｒｅｄ ｕｐｌｉｎｋ:
【０１３２】
-ｔｈｅｒｅ ａｒｅ ＵＬ ｒｅｓｏｕｒｃｅＳ ａｌｌｏｃａｔｅｄ ｆｏｒ ｔｒａｎｓｍｉｓｓｉｏｎ ｏｒ ｔｈｅｒｅ ｉｓ ａ ＰＵＣＣＨ ｔｒａｎｓｍｉｓｓｉｏｎ ｏｎ ｔｈｉｓ ｃｅｌｌ、ａｎｄ ｔｈｅ ｒｅｑｕｉｒｅｄ ｐｏｗｅｒ ｂａｃｋｏｆｆ ｄｕｅ ｔｏ ｐｏｗｅｒ ｍａｎａｇｅｍｅｎｔ(ａｓ ａｌｌｏｗｅｄ ｂｙ Ｐ−ＭＰＲＣ) ｆｏｒ ｔｈｉｓ ｃｅｌｌ ｈａｓ ｃｈａｎｇｅｄ ｍｏｒｅ ｔｈａｎ ＤＬ−ＰａｔｈｌｏｓｓＣｈａｎｇｅ ｄＢ ｓｉｎｃｅ ｔｈｅ ｌａｓｔ ｔｒａｎｓｍｉｓｓｉｏｎ ｏｆ ａ ＰＨＲ ｗｈｅｎ ｔｈｅ ＵＥ ｈａｄ ＵＬ ｒｅｓｏｕｒｃｅＳ ａｌｌｏｃａｔｅｄ ｆｏｒ ｔｒａｎｓｍｉｓｓｉｏｎ ｏｒ ＰＵＣＣＨ ｔｒａｎｓｍｉｓｓｉｏｎ ｏｎ ｔｈｉｓ ｃｅｌｌ;
【０１３３】
トリガーの一例として、端末に該当ＴＴＩに対する新しい送信のためのリソースが割り当てられた場合、以下の３つの段階を行う。
【０１３４】
(１)最後のＭＡＣリセット後、新しい送信のための第１上りリンクリソース割り当てである場合には、周期的タイマーを開始する。
【０１３５】
(２)最後のＰＨＲ送信後の少なとも１つのＰＨＲがトリガーされたか又は送信したＰＨＲが最初にトリガーされたＰＨＲである場合であり、かつ割り当てられた上りリンクリソースがＰＨＲ ＭＡＣ制御要素(拡張されたＰＨＲを含む)の送信に十分な空間を提供する場合には、
【０１３６】
１)もし拡張されたＰＨＲが構成されていると、各上りリンクが構成されており活性化されたサービングセルに対してタイプ１のＰＨ値を得、もし該当ＴＴＩに該当サービングセルにより上りリンク送信のための上りリンクリソースが端末に割り当てられていると、物理階層からＰCMAX,Cフィールドに相応する値を得、拡張されたＰＨＲ ＭＡＣ ＣＥ(Ｅｘｔｅｎｄｅｄ Ｐｏｗｅｒ Ｈｅａｄｒｏｏｍ Ｒｅｐｏｒｔ ＭＡＣ ｃｏｎｔｒｏｌ Ｅｌｅｍｅｎｔ)を生成して送信する。
【０１３７】
２)もし拡張されたＰＨＲが構成されており、ｓｉｍｕｌｔａｎｅｏｕｓＰＵＣＣＨ-ＰＵＳＣＨが構成されていると、主サービングセルに対するタイプ２のＰＨ値を得、もし端末が該当ＴＴＩにＰＵＣＣＨ送信を行う場合には、物理階層からＰCMAX,Cフィールドに相応する値を得る。また、拡張されたＰＨＲ ＭＡＣ ＣＥを生成して送信する。
【０１３８】
３)もし拡張されたＰＨＲが構成されていないと、物理階層からタイプ１のＰＨ値を得、ＰＨＲ ＭＡＣ制御要素を生成して送信する。
【０１３９】
(３)端末は周期的タイマーを開始又は再開始し、遮断タイマーを開始又は再開始し、全てのトリガーされたＰＨＲを取り消す。
【０１４０】
上述した遅延減少、即ち、低い遅延を満たすために、データ送信の最小単位であるＴＴＩを縮めて０.５ｍｓｅｃ以下の短いＴＴＩ(ｓＴＴＩ)を新しくデザインする必要がある。例えば、図５に示すように、ｅＮＢがデータ(ＰＤＣＣＨ及びＰＤＳＣＨ)の送信を開始してからＵＥがＡ／Ｎ(ＡＣＫ／ＮＡＣＫ)の送信を完了するまでのユーザ平面(Ｕｓｅｒ ｐｌａｎｅ;Ｕ−ｐｌａｎｅ)遅延を１ｍｓｅｃに減らすためには、約３ＯＦＤＭシンボルを単位としてｓＴＴＩを構成することができる。
【０１４１】
下りリンクの環境では、かかるｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されることができ、例えば、図６に示すように、１つのサブフレーム内に複数のｓＴＴＩが互いに異なるＯＦＤＭシンボルを使用して構成されることができる。特徴的には、ｓＴＴＩを構成するＯＦＤＭシンボルは、レガシー制御チャネルが送信されるＯＦＤＭシンボルを除いて構成される。ｓＴＴＩ内におけるｓＰＤＣＣＨとｓＰＤＳＣＨの送信は、互いに異なるＯＦＤＭシンボル領域を使用してＴＤＭ(ｔｉｍｅ ｄｉｖｉｓｉｏｎ ｍｕｌｔｉｐｌｅｘｉｎｇ)された形態で送信され、互いに異なるＰＲＢ領域／周波数リソースを使用してＦＤＭ(ｆｒｅｑｕｅｎｃｙ ｄｉｖｉｓｉｏｎ ｍｕｌｔｉｐｌｅｘｉｎｇ)された形態で送信されることもできる。
【０１４２】
上りリンクの環境でも、上述した下りリンクの環境のように、ｓＴＴＩ内でデータの送信／スケジューリングが可能であり、既存のＴＴＩ基盤のＰＵＣＣＨとＰＵＳＣＨに対応するチャネルをｓＰＵＣＣＨ、ｓＰＵＳＣＨと称する。
【０１４３】
この明細書では、ＬＴＥ／ＬＴＥ−Ａシステムを基準として発明を説明する。既存のＬＴＥ／ＬＴＥ−Ａにおいて、１ｍｓのサブフレームは一般ＣＰを有する場合、１４個のＯＦＤＭシンボルで構成され、これを１ｍｓより短い単位のＴＴＩを構成する場合、１つのサブフレーム内に複数のＴＴＩを構成できる。複数のＴＴＩを構成する方式は、以下の図７に示した実施例のように、２シンボル、３シンボル、４シンボル、７シンボルが１つのＴＴＩを構成できる。図示していないが、１シンボルのＴＴＩを有する場合も考えることができる。１シンボルが１つのＴＴＩ単位になると、２つのＯＦＤＭシンボルにレガシーＰＤＣＣＨを送信するという仮定下で、１２個のＴＴＩが生成される。同様に、図７の(ａ)のように、２シンボルが１つのＴＴＩ単位になると、６つのＴＴＩ、図７の(ｂ)のように、３シンボルが１つのＴＴＩ単位になると、４つのＴＴＩ、図７の(ｃ)のように、４シンボルが１つのＴＴＩ単位になると、３つのＴＴＩを生成できる。勿論、この場合、最初の２つのＯＦＤＭシンボルはレガシーＰＤＣＣＨが送信されたと仮定する。
【０１４４】
図７の(ｄ)に示したように、７つのシンボルが１つのＴＴＩを構成すると、レガシーＰＤＣＣＨを含む７つのシンボル単位の１つのＴＴＩと後の７つのシンボルが１つのＴＴＩを構成できる。この時、ｓＴＴＩを支援する端末の場合、１つのＴＴＩが７シンボルで構成されると、１つのサブフレームの前側に位置するＴＴＩ(１番目のスロット)についてはレガシーＰＤＣＣＨが送信される前側の２つのＯＦＤＭシンボルに対してはパンクチャリングするか、又はレートマッチングされたと仮定し、その後５つのシンボルに自分のデータ及び／又は制御情報が送信されると仮定する。反面、１つのサブフレームの後側に位置するＴＴＩ(２番目のスロット)に対して、端末はパンクチャリングやレートマッチングするリソース領域無しに７つのシンボルに全てデータ及び／又は制御情報を送信できると仮定する。
【０１４５】
また本発明では、２つのＯＦＤＭシンボル(以下、"ＯＳ")で構成されたｓＴＴＩと３つのＯＳで構成されたｓＴＴＩが、図８のように１つのサブフレーム内に混合されて存在するｓＴＴＩ構造も考慮する。このような２−ＯＳ又は３−ＯＳのｓＴＴＩで構成されたｓＴＴＩを簡単に２−シンボルｓＴＴＩ(即ち、２−ＯＳ ｓＴＴＩ)と定義する。また、２−シンボルｓＴＴＩ又は３−シンボルｓＴＴＩを簡単に２−シンボルＴＴＩ又は３−シンボルＴＴＩと称することもでき、これらが全て本発明で前提しているレガシーＴＴＩである１ｍｓ ＴＴＩより短いＴＴＩであることは明らかである。即ち、この明細書において"ＴＴＩ"と称してもｓＴＴＩであることができ、その名称に関係なく、本発明ではレガシーＴＴＩより短い長さのＴＴＩで構成されたシステムにおける通信方式を提案する。
【０１４６】
この明細書において、ニューマロロジーとは、該当無線通信システムに適用されるＴＴＩ長さ、副搬送波間隔などの決定、決められたＴＴＩ長さ又は副搬送波間隔などのパラメータ又はそれらに基づく通信構造又はシステムなどを意味する。
【０１４７】
図８の(ａ)に示した＜３,２,２,２,２,３＞ｓＴＴＩパターンではＰＤＣＣＨのシンボル数によってｓＰＤＣＣＨが送信されることができる。図８の(ｂ)に示した＜２,３,２,２,２,３＞ｓＴＴＩパターンではレガシーＰＤＣＣＨ領域のためにｓＰＤＣＣＨの送信が難しい。
【０１４８】
ｎｅｗ ＲＡＴ(ｎｅｗ ｒａｄｉｏ ｔｅｃｈｎｏｌｏｇｙ；ＮＲ)
【０１４９】
以上、３ＧＰＰ ＬＴＥ(−Ａ)システムの構造、動作又は機能などを説明したが、ＮＲでは３ＧＰＰ ＬＴＥ(−Ａ)における構造、動作又は機能などが少し変形されたり他の方式で具現又は設定されることができる。その一部を簡単に説明する。
【０１５０】
ＮＲでは様々なニューマロロジーを支援する。例えば、副搬送波間隔が１５ＫＨｚだけではなく、その２n倍(ｎ＝１、２、３、４)まで支援する。
【０１５１】
また正規ＣＰの場合、スロット当たりのＯＦＤＭシンボル(今後、単に"シンボル"という)の数は１４個に固定されるが、１つのサブフレーム内のスロット数が２k個(ｋ＝０、１、２、３、４、５)まで支援され、ただ無線フレームが１０個のサブフレームで構成されることは、既存のＬＴＥシステムと同一である。拡張ＣＰの場合、スロット当たりのシンボル数が１２個に固定され、１つのサブフレームは４つのスロットで構成される。また既存のＬＴＥシステムのように、１つのリソースブロックは周波数ドメインで１２個の連続する副搬送波により定義される。
【０１５２】
また１スロット内の各シンボルの用途(例えば、下りリンク、上りリンク又は自由自在(ｆｌｅｘｉｂｌｅ))がスロットフォーマットによって定義され、１スロット内で下りリンクシンボルと上りリンクシンボルを全て設定することもできるが、かかる場合を自己完結型(ｓｅｌｆ ｃｏｎｔａｉｎｅｄ)サブフレーム(又はスロット)構造と呼ぶ。
【０１５３】
異なるＴＴＩ長さ／ニューマロロジーのためのＰＨＲ(ｐｏｗｅｒ ｈｅａｄｒｏｏｍ ｒｅｐｏｒｔ)
【０１５４】
ＬＴＥシステムにおいて、一般的に端末は設定された各々のセルに対するＰＨ(ｐｏｗｅｒ ｈｅａｄｒｏｏｍ)を計算して周期的に、或いは特定のイベントを満たした場合に基地局(又はｅＮＢ)にＭＡＣシグナリング又はＲＲＣシグナリングにより報告する。ここで、ＰＨ報告周期はＰＨＲトリガーのためのタイマーにより制御される。また特定イベントの一例として、特定ＲＳ(ｒｅｆｅｒｅｎｃｅ ｓｉｇｎａｌ)電力に基づいて計算された経路減殺(ｐａｔｈ ｌｏｓｓ)値が一定の臨界値より大きい場合は、ＰＨＲ送信がトリガーされる。またスケジューリングされた送信ブロックのサイズに合わせるためのパディング(ｐａｄｄｉｎｇ)のサイズがＰＨＲ送信のサイズより大きいと(又は等しいと)、ＰＨＲ情報がパディングの代わりに挿入されることができる。
【０１５５】
この時、任意のサブスロット／スロット／サブフレームで送信される任意のセルに対するＰＨ値は、基本的に該当サブフレームで計算される該当セルｃに対する最大許容電力であるＰｃｍａｘ,ｃと、端末が該当サブスロット／スロット／サブフレームで該当セルにより送信する信号の送信電力との差である。又はＰＨ値は、端末が該当サブスロット／スロット／サブフレームで該当セルにより信号を送信しない場合には、該当セルｃに対する最大許容電力であるＰｃｍａｘ,ｃと、仮想的に計算される送信電力との差になる(即ち、上述したタイプ１又はタイプ２のＰＨ計算方法のうち、端末がサブスロット／スロット／サブフレームｉでサービングセルｃについてＰＵＳＣＨを送信しない場合のように)。この時、任意のサブスロット／スロット／サブフレームでのＰｃｍａｘ,ｃ値は、該当サブスロット／スロット／サブフレームで該当セル或いは他のセルにおける送信を全て考慮して端末が送信スペクトルに対する制限要求を満たす条件で該当セルで送信可能な最大電力をパラメータとして計算される。
【０１５６】
本発明の一つの提案として、１つの搬送波(又はセル)で互いに異なるＴＴＩ長さ(又はニューマロロジー)を有する複数のＵＬチャネルがスケジューリングされる状況において、端末はＴＴＩ長さごとに(及び／又はニューマロロジーごとに)個々にＰＨを計算／報告するように規定することができる。
【０１５７】
又はＰＨＲ送信のための基準(ｒｅｆｅｒｅｎｃｅ)ＴＴＩ長さ(又はニューマロロジー)が別に構成されることが考えられる。この場合、１つのＰＨＲが送信されることができ、複数のＵＬ ＣＣがある場合にも基準ＴＴＩ長さ(又はニューマロロジー)が１つに設定されることを仮定することができる。かかる基準ＴＴＩ長さ(又はニューマロロジー)の場合、上位階層で構成されるか、ＰＣｅｌｌ及び／又はＰＳＣｅｌｌ(ＰＵＣＣＨ ＳＣｅｌｌ)のデフォルトＴＴＩ長さ(又はニューマロロジー)に従うことができる。又は常に所定の値、一例として１ｍｓ ＴＴＩ(又は１５ｋＨｚ)を仮定することもできる。又は１つの搬送波(又はセル)に設定された最短ＴＴＩ長さ及び／又は最長の副搬送波間隔に従うこともできる。かかる設定は、特に１つの搬送波に互いに異なるニューマロロジー又は互いに異なるＴＴＩ長さが多重化される場合に有用である。
【０１５８】
本発明のさらに他の提案として、ＴＴＩ長さごとに及び／又はニューマロロジーごとに又は複数のＴＴＩ長さごとに及び／又は複数のニューマロロジーごとにグループを構成し、グループ内のＰＨＲ値を併せて代表セルのＰＵＳＣＨ又は１つのセルのＰＵＳＣＨに該当グループのＰＨＲ値が報告されるように規定することができる。又は特定(例えば、基準ＴＴＩ長さ／ニューマロロジーとは異なる)ＴＴＩ長さ(又はニューマロロジー)が設定されたセルとそうではないセルを別々にグルーピング(ｇｒｏｕｐｉｎｇ)した後、各グループ内のセルのＰＨＲ値を併せて各グループ内の特定セルにＰＨＲ値が各々報告されるように規定することもできる。これは各ＰＨＲがプロセス時間が類似するセル間にグルーピングされて報告されることを意味する。かかるＰＨＲに対するトリガータイマー(ｔｒｉｇｇｅｒ ｔｉｍｅｒ)は１つを共有することができる。一例として、セル１、２にはｓＴＴＩが設定され、セル３、４にはｓＴＴＩが設定されていない場合、セル１、２のＰＨＲを併せて報告し、セル３、４のＰＨＲを併せて報告するように規定することができる。
【０１５９】
本発明のさらに他の提案として、ＰＨＲ(ｐｏｗｅｒ ｈｅａｄｒｏｏｍ ｒｅｐｏｒｔ)トリガーのためのタイマー(例えば、ｐｒｏｈｉｂｉｔＰＨＲ−Ｔｉｍｅｒ、ｐｅｒｉｏｄｉｃＰＨＲ−Ｔｉｍｅｒ)がＴＴＩ長さごとに(又はニューマロロジーごとに又はＴＴＩ長さグループ又はニューマロロジーグループごとに)定義されることができる。又はＴＴＩ長さごとに(又はニューマロロジーごとに、或いはＴＴＩ長さグループ、或いはニューマロロジーグループごとに)別のＰＨが報告されても、ＰＨＲトリガーのためのタイマーは特定のＴＴＩ長さ(又はニューマロロジー)のタイマーが使用又は設定され、これによりＰＨＲがトリガーされることができ、特定のＴＴＩ長さ或いはニューマロロジーは予め約束されるか、又は上位階層信号により設定されることができる。
【０１６０】
本発明のさらに他の提案として、互いに異なるＴＴＩ長さ／ニューマロロジーを有する複数のＵＬチャネルに対する同時送信が許容されないか、或いは設定されていないか、或いは衝突ハンドリング(ｃｏｌｌｉｓｉｏｎ ｈａｎｄｌｉｎｇ)により特定のＴＴＩ長さ／ニューマロロジーを有するＵＬチャネルが省略されることもできる。もし上記状況に省略されたチャネルがＰＨＲを含んでいると、省略動作は好ましくない。従って、ＰＨＲを含むチャネルが省略された場合、該当ＴＴＩ長さ／ニューマロロジーに対するＰＨＲが再度トリガーされるように規定することができる。
【０１６１】
本発明のさらに他の提案として、特定の基準ニューマロロジー又はＴＴＩ長さに対してＰＨＲが報告されると仮定した時、これは他のＴＴＩ長さが構成されない状況であると仮定することができる。一例として、レガシーＴＴＩ(例えば、１ｍｓｅｃ)と２ＯＳ(ＯＦＤＭ ｓｙｍｂｏｌ)ｓＴＴＩが構成された場合、レガシーＴＴＩについて、ＰＨＲが上がる場合には、端末はＰＨＲ計算を２ＯＳ ｓＴＴＩが構成されていない状況であると仮定して計算することができる。従って、実際送信時のチャネル間の衝突を解決した後に送信されるチャネルとＰＨＲ計算時に使用されたチャネルとが異なることができ、より特徴的には、ＰＨＲが送信されるＰＵＳＣＨが省略されることもできる。この場合、ＰＨＲを再度トリガーすることができる。即ち、ＰＨＲトリガー条件にＰＨＲが送信されるＰＵＳＣＨが省略された場合を追加することができる。
【０１６２】
より特徴的には、かかる基準ニューマロロジー又はＴＴＩ長さが設定された場合、基準ニューマロロジー又は基準ＴＴＩ長さより長いＴＴＩ長さ又はより小さい副搬送波間隔に対する、或いはプロセス時間が長い場合に対するＰＨＲが送信されることができる。これは、基準ニューマロロジー又は基準ＴＴＩ長さより長いＴＴＩ長さ又はより小さい副搬送波間隔基盤のチャネルに対する送信を仮定してＰＨＲを計算することである。一例として、２ＯＳ ｓＴＴＩ ｓＰＵＳＣＨを基準としてＰＨＲを計算する場合、さらに他のセルの１ｍｓ ＰＵＳＣＨにより計算されたＰＨＲも共に２ＯＳ ｓＰＵＳＣＨで送信されることができる。
【０１６３】
本発明のさらに他の提案として、特定の基準ニューマロロジー及び／又は基準ＴＴＩ長さについてＰＨＲが報告される場合、基準ＴＴＩ及び／又は基準ニューマロロジー内に入るＰＵＣＣＨ／ＰＵＳＣＨを全部カウントし、もしかかるＰＵＣＣＨ又はＰＵＳＣＨが複数個である場合は、それらのうち、最初の電力を測定してＰＨＲ計算に考慮するように規定することができる。一例として、複数の１ｍｓ ＰＵＳＣＨと２ＯＳ ｓＰＵＳＣＨが重畳した場合、これらのうち、最初に重畳したｓＰＵＳＣＨの電力を考慮してＰＨＲを計算した後に報告するように規定することができる。
【０１６４】
本発明のさらに他の提案として、互いに異なる複数のＴＴＩ長さ及び／又はニューマロロジーのうち、ＰＨＲが送信されるチャネルのＴＴＩ長さ及び／又はニューマロロジーが予め約束されるか、又は上位階層信号により設定される。
【０１６５】
本発明のさらに他の提案として、端末は特定ＲＳ電力に基づいて計算された経路減殺値が一定の臨界値より大きい場合、ＰＨＲ送信がトリガーされる。前記ＰＨＲトリガーリングのための臨界値がＴＴＩ長さ及び／又はニューマロロジーごとに独立して又は異なるように設定されるように規定することもでき、この時、臨界値は予め約束されるか、又は上位／物理階層信号により設定／指示される。
【０１６６】
本発明のさらに他の提案として、特定の搬送波について又はＣＡ状況において、異なるＴＴＩ長さ及び／又はニューマロロジーを有する上りリンクチャネルの送信タイミングが重畳する場合、低い優先順位を有するチャネルが中断又は省略されることができる。もし特定の搬送波についてより長いＴＴＩ長さ及び／又は小さい副搬送波間隔を有するチャネルのＰＨ計算時、該当チャネルが上記説明した衝突により中断又は省略される場合、仮想の(ｖｉｒｔｕａｌ)ＰＨ値を計算して報告するように規定することができる。ここで、仮想のＰＨ値とは、電力制御パラメータのうちの一部が考慮されないＰＨ値を含む。例えば、上述したタイプ１のＰＨ又はタイプ２のＰＨ計算において、端末がＰＵＳＣＨを送信しない場合に計算されたＰＨ値のように又は同一に計算された値であり、電力制御パラメータはＰＵＳＣＨリソースに対する帯域幅(ＭPUSCH,c(i)、サービングセルｃのためのサブスロット／スロット／サブフレームｉで有効なリソースブロックの数で表現されるＰＵＳＣＨリソース割り当ての帯域幅)、ＰO_PUSCH,c(ｊ)、ＭＣＳ(ｍｏｄｕｌａｔｉｏｎ ａｎｄ ｃｏｄｉｎｇ ｓｃｈｅｍｅ)従属パラメータデルタ_ＴＦ(△TF,C(i))などであることができる。
【０１６７】
本発明の他の提案として、該当チャネルが中断又は省略されたにもかかわらず、まるで該当チャネルが送信されたと見なして実際の電力に基づいて計算されたＰＨ値が報告されるように規定することもできる。又は、ＰＨ計算方法のうちのいずれか１つを用いてＰＨＲを行うかを上位／物理階層信号により設定／指示することもできる。又は端末がＰＨ計算方法のうちの１つを選択してＰＨを計算した後、どの方法を利用してＰＨＲを行ったかがＰＨＲに含まれて報告されることもできる。
【０１６８】
本発明のさらに他の提案として、もしｓＰＵＳＣＨに全ての搬送波に対するＰＨ値を報告するように規定された場合、ｓＴＴＩが設定されていない搬送波に対するＰＨ値は、該当搬送波の１ｍｓ ＴＴＩ ＰＵＳＣＨ(又はｓＴＴＩと他のＴＴＩ長さ及び／又はニューマロロジーを有するＰＵＳＣＨ)スケジューリング及び衝突による中断又は省略を考慮して、実際のＰＨ値又は仮想のＰＨ値で報告されることができる。より詳しくは、もし該当搬送波に対するＰＨＲが送信されるＵＬ ｓＴＴＩを含むサブフレームでＰＵＳＣＨがスケジューリングされた場合(又は省略／中断されず送信される場合)には実際のＰＨ値を報告し、そうではない場合には該当搬送波に対するＰＨＲが送信されるＵＬ ｓＴＴＩを含むサブフレームにおけるＰＵＳＣＨ送信を仮定した仮想のＰＨ値を計算してｓＰＵＳＣＨでＰＨを報告するように規定することができる。
【０１６９】
本発明のさらに他の提案として、特定の搬送波について、又はＣＡ状況において、異なるＴＴＩ長さ及び／又はニューマロロジーを有する上りリンクチャネルの送信タイミングが重畳する場合、低い優先順位を有するチャネルが中断又は省略されることができる。もしＰＨ情報が低い優先順位を有するチャネル(例えば、より長いＴＴＩ長さのＰＵＳＣＨ)に含まれて送信される予定である場合は、より高い優先順位を有するチャネル(例えば、より短いＴＴＩ ＰＵＳＣＨ／ＰＵＣＣＨ)と送信タイミングが重畳する場合、低い優先順位を有するチャネルが省略されながらＰＨ情報も損失されることができる。かかるＰＨ情報の損失を防止するために、ＰＨＲが含まれて送信されるＰＵＳＣＨが衝突などの理由で省略又は中断される場合、省略又は中断せず、送信されるより高い優先順位のチャネルにＰＨ情報を含むＭＡＣ ＣＥを送信するように規定することができる。一例として、１ｍｓ ＰＵＳＣＨにＰＨを送信する予定であったが、１ｍｓ ＰＵＳＣＨがｓＴＴＩ ＰＵＳＣＨ(又はｓＰＵＳＣＨ)との衝突により中断又は省略される場合、該当ＰＨ情報がｓＴＴＩ ＰＵＳＣＨに送信されることができる。
【０１７０】
本発明のさらに他の提案として、ＣＡ状況において、同時点に複数の搬送波にスケジューリングされた又は送信されるＰＵＳＣＨのうち、ＨＡＲＱ−ＡＣＫを含む、及び／又はＤＭＲＳを含む、及び／又はより低いセルインデックスで送信される、及び／又はより高い優先順位のＰＵＣＣＨグループに属する(例えば、主ＰＵＣＣＨグループが副ＰＵＣＣＨグループより高い優先順位を有する)、及び／又はより短いＴＴＩ長さを有するＰＵＳＣＨに優先してＰＨが送信されるように規定することができる。これは、以下の電力優先順位付け(ｐｏｗｅｒ ｐｒｉｏｒｉｔｉｚａｔｉｏｎ)(端末が互いに異なるＴＴＩ長さに対する同時送信は可能であるが、電力制限された状況である場合)において、省略又は中断が最後に発生するＰＵＳＣＨにＰＨ情報を含ませることによりＰＨＲの損失を最小化することである。
【０１７１】
ＵＥ ｃａｐａｂｉｌｉｔｙ ｓｉｍｕｌｔａｎｅｏｕｓＴｘ−ｄｉｆｆｅｒｅｎｔＴｘ−ｄｕｒａｔｉｏｎにより指示されたように、異なるサービングセルに異なる上りリンク信号持続時間の同時送信が可能なＵＥのために、ＵＥにＰＵＣＣＨ−ＳＣｅｌｌが設定され、主ＰＵＣＣＨグループ及び副ＰＵＣＣＨグループでサービングセルのための異なる値の上位階層パラメータｕｌ−ＴＴＩ−Ｌｅｎｇｔｈが設定されると、またＵＥの全体送信電力がＰCMAX,c(i)〔（「Ｐ」の頭上に〜（チルダ）がある）を超えると、ＵＥはＵＥがそれ以上のチャネルを省略しない、ＵＥの全体送信電力がＰCMAX,c(i)〔「Ｐ」の頭上に〜（チルダ）がある〕を超えないまで、最高のサービングセルインデックスから最低のサービングセルインデックスの順に次のチャネルを省略し、又は同じ持続期間のＰＵＳＣＨ／ＰＵＣＣＨ送信のみが残るまで以下の電力スケーリング規則が適用される：
【０１７２】
−副ＰＵＣＣＨグループのＨＡＲＱ−ＡＣＫのないサブフレーム基盤のＰＵＳＣＨ(ｓｕｂｆｒａｍｅ−ｂａｓｅｄ ＰＵＳＣＨ ｗｉｔｈｏｕｔ ＨＡＲＱ−ＡＣＫ ｏｆ ｔｈｅ ｓｅｃｏｎｄａｒｙ ＰＵＣＣＨ ｇｒｏｕｐ)
【０１７３】
−主ＰＵＣＣＨグループのＨＡＲＱ−ＡＣＫのないサブフレーム基盤のＰＵＳＣＨ(ｓｕｂｆｒａｍｅ−ｂａｓｅｄ ＰＵＳＣＨ ｗｉｔｈｏｕｔ ＨＡＲＱ−ＡＣＫ ｏｆ ｔｈｅ ｐｒｉｍａｒｙ ＰＵＣＣＨ ｇｒｏｕｐ)
【０１７４】
−副ＰＵＣＣＨグループのＨＡＲＱ−ＡＣＫのないスロット基盤のＰＵＳＣＨ(Ｓｌｏｔ−ｂａｓｅｄ ＰＵＳＣＨ ｗｉｔｈｏｕｔ ＨＡＲＱ−ＡＣＫ ｏｆ ｔｈｅ ｓｅｃｏｎｄａｒｙ ＰＵＣＣＨ ｇｒｏｕｐ)
【０１７５】
−主ＰＵＣＣＨグループのＨＡＲＱ−ＡＣＫのないスロット基盤のＰＵＳＣＨ(Ｓｌｏｔ −ｂａｓｅｄ ＰＵＳＣＨ ｗｉｔｈｏｕｔ ＨＡＲＱ−ＡＣＫ ｏｆ ｔｈｅ Ｐｒｉｍａｒｙ ＰＵＣＣＨ ｇｒｏｕｐ)
【０１７６】
−ＨＡＲＱ−ＡＣＫ及び副ＰＵＣＣＨグループのＤＭＲＳのないサブスロット基盤のＰＵＳＣＨ(ｓｕｂｓｌｏｔ−ｂａｓｅｄ ＰＵＳＣＨ ｗｉｔｈｏｕｔ ＨＡＲＱ−ＡＣＫ ａｎｄ ｗｉｔｈｏｕｔ ＤＭＲＳ ｏｆ ｔｈｅ ｓｅｃｏｎｄａｒｙ ＰＵＣＣＨ ｇｒｏｕｐ)
【０１７７】
−ＨＡＲＱ−ＡＣＫ及び主ＰＵＣＣＨグループのＤＭＲＳのないサブスロット基盤のＰＵＳＣＨ(ｓｕｂｓｌｏｔ−ｂａｓｅｄ ＰＵＳＣＨ ｗｉｔｈｏｕｔ ＨＡＲＱ−ＡＣＫ ａｎｄ ｗｉｔｈｏｕｔ ＤＭＲＳ ｏｆ ｔｈｅ Ｐｒｉｍａｒｙ ＰＵＣＣＨ ｇｒｏｕｐ)
【０１７８】
−ＨＡＲＱ−ＡＣＫを有さず、副ＰＵＣＣＨグループのＤＭＲＳを有するサブスロット基盤のＰＵＳＣＨ(ｓｕｂｓｌｏｔ−ｂａｓｅｄ ＰＵＳＣＨ ｗｉｔｈｏｕｔ ＨＡＲＱ−ＡＣＫ ａｎｄ ｗｉｔｈ ＤＭＲＳ ｏｆ ｔｈｅ ｓｅｃｏｎｄａｒｙ ＰＵＣＣＨ ｇｒｏｕｐ)
【０１７９】
−ＨＡＲＱ−ＡＣＫを有さず、主ＰＵＣＣＨグループのＤＭＲＳを有するサブスロット基盤のＰＵＳＣＨ(ｓｕｂｓｌｏｔ−ｂａｓｅｄ ＰＵＳＣＨ ｗｉｔｈｏｕｔ ＨＡＲＱ−ＡＣＫ ａｎｄ ｗｉｔｈ ＤＭＲＳ ｏｆ ｔｈｅ ｐｒｉｍａｒｙ ＰＵＣＣＨ ｇｒｏｕｐ)
【０１８０】
−ＨＡＲＱ−ＡＣＫを有するサブフレーム基盤のＰＵＳＣＨ又は副ＰＵＣＣＨグループのサブフレーム基盤のＰＵＣＣＨ(ｓｕｂｆｒａｍｅ−ｂａｓｅｄ ＰＵＳＣＨ ｗｉｔｈ ＨＡＲＱ−ＡＣＫ ｏｒ ｓｕｂｆｒａｍｅ−ｂａｓｅｄ ＰＵＣＣＨ ｏｆ ｔｈｅ ｓｅｃｏｎｄａｒｙ ＰＵＣＣＨ ｇｒｏｕｐ)
【０１８１】
−ＨＡＲＱ−ＡＣＫを有するサブフレーム基盤のＰＵＳＣＨ又は主ＰＵＣＣＨグループのサブフレーム基盤のＰＵＣＣＨ(ｓｕｂｆｒａｍｅ−ｂａｓｅｄ ＰＵＳＣＨ ｗｉｔｈ ＨＡＲＱ−ＡＣＫ ｏｒ ｓｕｂｆｒａｍｅ−ｂａｓｅｄ ＰＵＣＣＨ ｏｆ ｔｈｅ Ｐｒｉｍａｒｙ ＰＵＣＣＨ ｇｒｏｕｐ)
【０１８２】
−ＨＡＲＱ−ＡＣＫを有するスロット基盤のＰＵＳＣＨ又は副ＰＵＣＣＨグループのスロット基盤のＰＵＣＣＨ(Ｓｌｏｔ−ｂａｓｅｄ ＰＵＳＣＨ ｗｉｔｈ ＨＡＲＱ−ＡＣＫ ｏｒ Ｓｌｏｔ−ｂａｓｅｄ ＰＵＣＣＨ ｏｆ ｔｈｅ ｓｅｃｏｎｄａｒｙ ＰＵＣＣＨ ｇｒｏｕｐ)
【０１８３】
−ＨＡＲＱ−ＡＣＫを有するスロット基盤のＰＵＳＣＨ又は主ＰＵＣＣＨグループのスロット基盤のＰＵＣＣＨ(Ｓｌｏｔ−ｂａｓｅｄ ＰＵＳＣＨ ｗｉｔｈ ＨＡＲＱ−ＡＣＫ ｏｒ Ｓｌｏｔ−ｂａｓｅｄ ＰＵＣＣＨ ｏｆ ｔｈｅ Ｐｒｉｍａｒｙ ＰＵＣＣＨ ｇｒｏｕｐ)
【０１８４】
−ＨＡＲＱ−ＡＣＫを有するサブスロット基盤のＰＵＳＣＨ又は副ＰＵＣＣＨグループのサブスロット基盤のＰＵＣＣＨ(ｓｕｂｓｌｏｔ−ｂａｓｅｄ ＰＵＳＣＨ ｗｉｔｈ ＨＡＲＱ−ＡＣＫ ｏｒ ｓｕｂｓｌｏｔ−ｂａｓｅｄ ＰＵＣＣＨ ｏｆ ｔｈｅ ｓｅｃｏｎｄａｒｙ ＰＵＣＣＨ ｇｒｏｕｐ)
【０１８５】
−ＨＡＲＱ−ＡＣＫを有するサブスロット基盤のＰＵＳＣＨ又は主ＰＵＣＣＨグループのサブスロット基盤のＰＵＣＣＨ(ｓｕｂｓｌｏｔ−ｂａｓｅｄ ＰＵＳＣＨ ｗｉｔｈ ＨＡＲＱ−ＡＣＫ ｏｒ ｓｕｂｓｌｏｔ−ｂａｓｅｄ ＰＵＣＣＨ ｏｆ ｔｈｅ Ｐｒｉｍａｒｙ ＰＵＣＣＨ ｇｒｏｕｐ)
【０１８６】
上述した提案方式に関する一例も本発明の具現方法の１つとして含まれることができ、一種の提案方式として見なされることができる。上記提案方式は独立して具現するか、又は一部提案方式の組み合わせ(又は併合)の形態で具現することができる。上記提案方法の適用有無に関する情報(又は提案方法の規則に関する情報)は、基地局が端末に予め定義されたシグナル(例えば、物理階層シグナル或いは上位階層シグナル)により知らせるように規定できる。
【０１８７】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０１８８】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０１８９】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０１９０】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０１９１】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号(ｒｅｆｅｒｅｎｃｅ ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援する送信機／受信機の場合は２個以上のアンテナに接続されてもよい。
【０１９２】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１９３】
送信装置及び／又は受信装置は、上述した本発明の実施例のうちの少なくとも１つ又は２つ以上の実施例の組み合わせを実行することができる。
【０１９４】
かかる提案の組み合わせの１つとして、無線通信システムにおいて短いＴＴＩ(ｔｒａｎｓｍｉｓｓｉｏｎ ｔｉｍｅ ｉｎｔｅｒｖａｌ)長さを支援する端末のためのパワーヘッドルーム(ｐｏｗｅｒ ｈｅａｄｒｏｏｍ；ＰＨ)を報告する端末であって、端末は受信器及び送信器;及び受信器及び送信器を制御するプロセッサを含み、該プロセッサはＰＨ報告がトリガーされると、端末のために設定された短いＴＴＩ長さが設定された第１搬送波又はセルのためのＰＨ値、及び端末のために設定された短いＴＴＩ長さが設定されていない第２搬送波又はセルのためのＰＨ値を計算し、また第１搬送波又はセル上の上りリンクチャネルを介して、前記計算されたＰＨ値を送信し、第２搬送波又はセルのためのＰＨ値は、ＰＨ値が報告される時点を含むサブフレームで第２搬送波又はセルにおける上りリンクチャネル送信のスケジューリング有無によって異なるように計算されて報告される。
【０１９５】
また第２搬送波又はセルで上りリンクチャネル送信がスケジューリングされた場合、第２搬送波又はセルのためのＰＨ値は第１ＰＨ値であり、また第２搬送波又はセルで上りリンクチャネル送信がスケジューリングされていない場合は、第２搬送波又はセルのためのＰＨ値は第２ＰＨ値である。
【０１９６】
また第２搬送波又はセル上の上りリンクチャネル送信は、第１搬送波又はセル上の上りリンクチャネル送信と送信タイミングタイミングが重畳して省略又は中断されることができる。
【０１９７】
また第１搬送波又はセルのためのＰＨ値又は第２搬送波又はセルのためのＰＨ値は、第１搬送波又はセル或いは第２搬送波又はセルで各々設定された基準ＴＴＩ内で送信が予定された互いに重畳する上りリンクチャネルのうちの１番目の上りリンクチャネルの送信パワーを考えて計算される。
【０１９８】
またＰＨ報告は特定の参照信号のパワーに基づいて計算された経路減殺の値が臨界値より大きい場合にトリガーされ、臨界値は短いＴＴＩの長さに基づいて決定される。
【０１９９】
また第１搬送波又はセル上の上りリンクチャネルは端末のために設定された複数のサービング搬送波又はセルのうち、所定の優先順位規則に従って選択される。
【０２００】
また優先順位規則はＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(Ａｃｋｎｏｗｌｅｄｇｍｅｎｔ/Ｎｅｇａｔｉｖｅ−ａｃｋｎｏｗｌｅｄｇｍｅｎｔ)を含み、ＤＭＲＳ(ｄｅｍｏｄｕｌａｔｉｏｎ ｒｅｆｅｒｅｎｃｅ ｓｉｇｎａｌ)を含み、より低いセルインデックスを有し、より高い優先順位のセルグループに属し、及び／又はより短いＴＴＩ長さを有する搬送波又はセル上の上りリンクチャネルにはより高い優先順位を割り当てるように設定される。
【０２０１】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２０２】
本発明は端末、リレー、基地局などのような無線通信装置に利用可能である。
【図１】
0006980814.tif 000017
【図２】
0006980814.tif 000018
【図３】
0006980814.tif 000019
【図４】
0006980814.tif 000020
【図５】
0006980814.tif 000021
【図６】
0006980814.tif 000022
【図７】
0006980814.tif 000023
【図８】
0006980814.tif 000024
【図９】
0006980814.tif 000025